(57)【要約】【課題】基地局と移動体端末で構成されるシステムにおいて、各トランスポート・チャネルに対しても木目細かく送信電力を制御しようとする。【解決手段】基地局により個別に電力制御される通信チャネルに対し、その複数の通信チャネルに接続する端末装置において、受信トランスポートチャネル毎の受信誤り率と、複数種類のトランスポートチャネルの優先順位情報とに基づいて対象チャネルの目標信号対干渉比を算出する目標信号対干渉比算出部３５と、対象チャネルの実測定信号対干渉比と上記対象チャネルの目標信号対干渉比とを比較する信号対干渉比比較部３６とを備えて、この比較結果により上記基地局に上記対象チャネルの下り送信電力の増減を要求する。【選択図】        図２
2005012605.tif 000002
【特許請求の範囲】
【請求項１】
基地局により個別に電力制御される通信チャネルに対し、該複数の通信チャネルに接続する端末装置において、
受信トランスポートチャネル毎の受信誤り率と、複数種類の該トランスポートチャネルの優先順位情報とに基づいて対象チャネルの目標信号対干渉比を算出する目標信号対干渉比算出部と、
上記対象チャネルの実測定信号対干渉比と上記対象チャネルの目標信号対干渉比とを比較する信号対干渉比比較部とを備えて、
上記比較結果により上記基地局に上記対象チャネルの下り送信電力の増減を要求することを特徴とする下り送信電力制御要求端末装置。
【請求項２】
目標信号対干渉比算出部は、各受信トランスポートチャネルの受信誤り率のうち、優先順位情報で最も優先度が高いと指定されたトランスポートチャネルの受信誤り率から目標信号対干渉比を算出するようにしたことを特徴とする請求項１記載の下り送信電力制御要求端末装置。
【請求項３】
目標信号対干渉比算出部は、各受信トランスポートチャネルの受信誤り率のうち、最も実測定受信品質がよいトランスポートチャネルの受信誤り率に基づいて目標信号対干渉比を算出するようにしたことを特徴とする請求項１記載の下り送信電力制御要求端末装置。
【請求項４】
目標信号対干渉比算出部は、優先順位情報として受信誤り率目標値が最も低いトランスポートチャネルから順に、順次受信誤り率目標値が高くなるトランスポートチャネル順に優先順位が設定されて、該優先順位に基づいて目標信号対干渉比を設定するようにしたしたことを特徴とする請求項１記載の下り送信電力制御要求端末装置。
【請求項５】
目標信号対干渉比算出部は、優先順位情報として第１の特定トランスポートチャネルから順に、順次第２、第３の特定トランスポートチャネル順に優先順位が設定されて、該優先順位に基づいて目標信号対干渉比を設定するようにしたしたことを特徴とする請求項１記載の下り送信電力制御要求端末装置。
【請求項６】
基地局制御装置、基地局と移動体端末装置で構成され、複数の無線通信チャネルを設けて該通信チャネルの電力制御をループ制御で行なう通信システムにおいて、
上記一つの通信チャネルを複数に区分した各区分をトランスポート・チャネルとし、該トランスポート・チャネルを占有する通信に優先順位を設定して、
上記移動体端末装置は、上記設定した優先順位の最上位通信が受信トランスポート・ブロックにあり、かつ受信エラーの有無または目標通信品質との差異があるかを検出し、結果を上記基地局または基地局制御装置に通知する通信制御部を備え、
基地局は、上記移動体端末装置からの要求に従って下り電力制御をするようにしたことを特徴とする下り送信電力制御システム。
【請求項７】
複数の通信チャネルを設けて該通信チャネルの電力制御を基地局に要求する方法として、
端末において、上記一つの通信チャネルを複数に区分した各区分をトランスポート・チャネルとし、該トランスポート・チャネルを占有する通信に優先順位を設定して、該設定した優先順位の最上位通信が受信トランスポート・ブロックにあり、かつ受信エラーがあるか、または目標通信品質との差異があるかを調べるステップと、
上記エラーまたは品質差異に基づいて下り電力要求を上下するステップと、を備えたことを特徴とする下り送信電力制御要求方法。
【請求項８】
端末は、制御対象となる優先順位の通信が全て所定の目標通信品質に対して一定値内となるよう、複数のトランスポート・チャネルの通信を監視するステップを設けたことを特徴とする請求項７記載の下り送信電力制御要求方法。
【請求項９】
端末は、トランスポート・チャネルにおける最上位通信に換えて、制御対象通信を設定し、該設定した制御対象通信が所定の目標通信品質にあるかを監視するステップを備えたことを特徴とする請求項７記載の下り送信電力制御要求方法。
【発明の詳細な説明】
【０００１】
【発明の属する技術分野】
この発明は、無線通信システムにおいて、加入者毎にトラフィック・チャネルを共有する通信チャネルの送信電力を制御する方法またはシステムに関するものである。
【０００２】
【従来の技術】
初めにＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）システムにおける下り送信電力制御について説明する。
Ｗ−ＣＤＭＡシステムでは、システム内に多くの端末を収容するために、端末毎に目標通信品質を与え、端末は要求される品質を満たすために必要な最小限の電力を要求する、下り送信電力制御機能が必要である。この下り電力制御は、二重のループで構成され、そのループの１つは受信ＳＩＲ（信号対干渉比）（またはそれに相当する受信レベル）を基準値と比較し、高速で下り送信電力の増加／減少を要求するＩｎｎｅｒ  ｌｏｏｐ（内部ループ）制御である。また、このＳＩＲ基準値を更新する制御をＯｕｔｅｒ  ｌｏｏｐ（外部ループ）制御という。特許文献１に開示されている従来技術による送信電力制御では、複数の物理チャネルの通信品質が異なるときに、それぞれのチャネルの通信品質が満たされるような送信電力の制御をおこなう。この制御とは、それぞれの通信品質を測定・認識し、それぞれに対して測定時の受信電力からの増分オフセット値を送信側へ通知し、それぞれの値を元に送信電力を制御する。
【０００３】
【特許文献１】
特開２００１−６９０７７号公報
【０００４】
【発明が解決しようとする課題】
従来の技術は上記のように構成されており、各物理チャネルについては送信電力の制御ができるが、これら物理チャネルが更に複数のトランスポート・チャネル（以後、ＴｒＣＨとする）で多重分割されていて、かつそれぞれのＴｒＣＨに対して目標品質を制御することとなると、端末からの主体的な要求がなければ、それぞれを細かく制御することはできない、という課題がある。
更に端末が基地局に対して過剰な電力を要求し、そのため基地局あたりの収容端末数が減少することになるという課題もある。
【０００５】
この発明は上記の課題を解決するためになされたもので、端末が働きかけて、各トランスポート・チャネルに対しても木目細かく送信電力を制御しようとする。また適切な電力制御を基地局に要求し、端末収容数増大に寄与しようとする。
【０００６】
【課題を解決するための手段】
この発明に係る下り送信電力制御要求端末装置は、基地局により個別に電力制御される通信チャネルに対し、その複数の通信チャネルに接続する端末装置において、
受信トランスポートチャネル毎の受信誤り率と、複数種類のトランスポートチャネルの優先順位情報とに基づいて対象チャネルの目標信号対干渉比を算出する目標信号対干渉比算出部と、対象チャネルの実測定信号対干渉比と上記対象チャネルの目標信号対干渉比とを比較する信号対干渉比比較部とを備えて、
この比較結果により上記基地局に上記対象チャネルの下り送信電力の増減を要求する。
【０００７】
【発明の実施の形態】
実施の形態１．
下り電力の制御を直接行うのは基地局であるが、その必要電力は端末から要求し、品質を維持し、かつ過剰品質でもなくてチャネル数が増やせる適正な下り送信電力を要求する方法または装置を説明する。
本システムの全体構成図を図１（ａ）に示す。図において、移動体端末装置１０は、多数用意された物理的な無線チャネルを通じて基地局２０と交信する。更に基地局は、基地局制御装置３０の管理を受け、交換局４０に接続されている。交換局４０は他の固定端末または電話、または移動体端末装置と、網５０を通じて交信する。
なお詳しくは、移動体端末装置１０は、１つの無線チャネルを更に区分して、区分を割当てられ、結果的に無線チャネルを共有して基地局２０と交信している。
また図１（ｂ）は、ｏｕｔｅｒ  ｌｏｏｐ機能を持つ移動体端末装置の全体構成を示す図である。移動体端末装置は、空間中の電波を受信するアンテナ１、高周波帯の受信電力を増幅し、また送信信号をアンテナ１に送る無線機部２、受信した電波の復調／復号と、送信データの変調／拡散を行なうベースバンド部４、マイクロフォンやスピーカ、ＰＤＡなどの装置を接続する端末インタフェース部５と、これらを接続し、データの流れや通信制御を行なう通信制御部３からなる。
本発明を適用する部位は通信制御部３であり、その中でも特に下り送信電力制御の手法である。本発明の説明のため、移動体端末装置における通信制御部３の構成と、その下り送信電力制御方法について述べる。
【０００８】
図２は移動体端末装置１０の通信制御部３の詳細構成を示す図である。図において、復調部３１は無線機部２で受信した無線周波数信号を復調し、復調後の受信データをＳＩＲ測定部３２に入力し、また下りリンクのＤＰＣＣＨ、ＤＰＤＣＨの受信データを復号部３３に入力する。復号部３３で復号された受信信号は受信データとして必要部分へ出力される。また、受信トランスポートブロック（以下、ＴＢと記述）毎の受信数と受信誤り数が測定部３４で測定され、ＴＢ毎の受信誤り率として出力される。決定部３８は、上位層から入力されるトランスポートチャネル（以下、ＴｒＣＨと称す）毎の目標品質に基づいて、複数のＴｒＣＨの優先順位を優先順位情報として決定し、出力する。原則として目標品質が高いＴｒＣＨが高い優先順位を得るが、ユーザが特に指定することも可能である。ＴＡＲＧＥＴ  ＳＩＲ（目標信号対干渉比）算出部３５では、測定部３４で得られるＴｒＣＨ毎の受信誤り率のうち、決定部３４から得られる優先順位情報に基づいて優先順位が高く設定されたＴｒＣＨの受信誤り率を抽出し、この高い優先順位ＴｒＣＨの受信誤り率から移動体端末装置が上位から指示されるＴｒＣＨ受信品質を得るＳＩＲ目標値（Ｔｅｒｇｅｔ  ＳＩＲ）を更新して、ＳＩＲ比較部３６に出力する。
ＳＩＲ測定部３２ではＳＩＲを測定し、ＳＩＲ比較部３６に出力する。ＳＩＲ比較部３６は、この２つの入力を比較し、ＳＩＲ基準値がＳＩＲ測定値より大きい場合は、基地局２０に対して送信電力を上げるよう要求し、逆にＳＩＲ測定値がＳＩＲ基準値より大きい場合は、基地局２０に対して送信電力を下げるよう要求する。つまりＳＩＲ比較部３６はこの比較結果を下り送信電力制御情報生成部３７に出力し、下り送信電力制御情報生成部３７がこの情報を変調部４１経由で無線機部２に出力する。変調部４１は、もちろん送信データも符号部３９で符号化した後、同様に送信出力する。
【０００９】
下り送信電力制御の概要を図３を用いて説明する。
図３において、ベースバンド部４へは、図１の、アンテナ１で受信した微弱電気信号が、無線機部２においてＲＡＫＥ受信・増幅され、この増幅後の電気信号が送られる。ベースバンド部４では、電気信号から情報を取り出すため、電気信号の復調・復号をおこなう。
移動体端末装置における下り電力制御では、例えば受信誤り率で代表される、定められた通信品質となるように基地局に対して電力の増減を要求する処理が必要となる。
この処理を実現するため、２つのループ制御を用いており、それぞれＩｎｎｅｒ  ｌｏｏｐ（内部ループ）制御・Ｏｕｔｅｒ  ｌｏｏｐ（外部ループ）制御という。Ｉｎｎｅｒ  ｌｏｏｐ制御では、個別チャネル（以後、ＤＰＣＨと称す）のＳＩＲ（Ｓｉｇｎａｌ  ／  Ｉｎｆｅｒｅｎｃｅ  Ｒａｔｉｏ；信号対干渉比）が、制御目標となるＳＩＲ（以後、Ｔａｒｇｅｔ  ＳＩＲと称す）に収束するように電力要求をおこなう。即ち図２の詳細構成でいえば、Ｉｎｎｅｒ  ｌｏｏｐの要点として、ＳＩＲ測定部３２とＳＩＲ比較部３６と下り送信電力制御情報生成部３７で構成され、基地局とからなるループにより電力増減要求を行う。この制御はｓｌｏｔ単位で行われ、１秒間に１５００回評価される。Ｉｎｎｅｒ  ｌｏｏｐの制御目標値であるＴａｒｇｅｔ  ＳＩＲは、Ｏｕｔｅｒ  ｌｏｏｐ制御にて決定される。
【００１０】
Ｏｕｔｅｒ  ｌｏｏｐ制御では、受信信号を復調・復号する際に、トランスポート・ブロック（ｔｒａｎｓｐｏｒｔ  ｂｌｏｃｋ以後、ＴＢと称す）単位での受信エラー率、すなわち通信品質を目標値へと収束させるためにＴａｒｇｅｔ  ＳＩＲを決定する。即ち図２の構成では、測定部３４と決定部３８とＴａｒｇｅｔ  ＳＩＲ算出部３５で目標ＳＩＲ値が決められる。そしてそれがＳＩＲ比較部３６で比較され、２つのループが合わさって総合的な下り送信電力の増減要求となる。
【００１１】
移動体端末装置における下り送信電力制御とは、以上のように２つのループ制御により、通信品質が目標に過不足ない基地局への要求状態へと収束させる制御である。ＴＢはトランスポート・チャネル（ＴｒＣＨ）ごとに得られ、一般にそれぞれの目標品質は異なる。また、基地局への下り送信電力制御の制御としては送信電力の増減のみであり、その影響はすべてのＴｒＣＨに及ぶこととなるためである。このため、複数のＴｒＣＨのそれぞれの品質を、すべて要求基準を満たすよう同時制御することは容易ではない。以下の方式によれば、移動体端末装置における複数のＴｒＣＨを、それぞれの目標通信品質近傍の値となるよう制御を行う。
即ち第一に、複数のＴｒＣＨ使用下において、一般的に異なるＴｒＣＨ毎のデータ流量・回線方式を考慮し、送信電力制御が比較的安定して実現可能な（データの受信頻度の高い）ＴｒＣＨから順に、制御の優先順位を設け、全てのＴｒＣＨの目標品質が同時に満たされない場合は、その優先順位を用いた補正機能を用いて下り送信電力制御をおこなう。
第２に、Ｗ−ＣＤＭＡシステムの収容局数の影響を考慮し、上記の優先順位付けされたＴｒＣＨによる制御に加え、過剰な品質を得ているチャネルを監視し、過度の下り送信電力要求を緩和する制御方式を得る。
【００１２】
本実施の形態では、下り送信電力制御対象とするＴｒＣＨの優先順位を決定する機能と、優先順位のついたＴｒＣＨの通信品質を監視し、Ｔａｒｇｅｔ  ＳＩＲを決定する機能を備えた装置または方法を説明する。
下り送信電力制御対象とするＴｒＣＨの優先順位を決定する機能とは、呼種によって使用されるＴｒＣＨの数やフォーマットによって、主として制御すべきＴｒＣＨを選択し、他に制御対象となり得るＴｒＣＨについては、その種別・パラメータに応じて適用すべきＴｒＣＨの優先順位を決定する機能であり、全て端末制御部３で行う。
【００１３】
Ｔａｒｇｅｔ  ＳＩＲを決定する機能とは、毎フレームの下りＴｒＣＨを監視し、通信品質に応じてＴａｒｇｅｔ  ＳＩＲを決定する機能である。この機能は、あるフレーム区間におけるＴａｒｇｅｔ  ＳＩＲの値に対する、次のフレーム区間のでのＴａｒｇｅｔ  ＳＩＲの値を得るための差分値を与える。差分値の算出には、大きく分けて２つの指標により決定する。第一に、主として制御すべきＴｒＣＨの受信品質、例えばトランスポート毎の受信したトランスポートブロック（ＴＢ）毎の受信数と受信誤り率を計測し、これが目標値と等しくなるようにＴａｒｇｅｔ  ＳＩＲの値を制御する。次に、主として制御すべきＴｒＣＨ以外のＴｒＣＨの通信品質を計測し、これがそれぞれの目標品質よりも許容値を上回る差が生じた際に、主として制御すべきＴｒＣＨにより決定したＴａｒｇｅｔ  ＳＩＲの値を補正する。つまりＴｒＣＨごとに目標通信品質を基にしてＴＢ受信エラーの発生間隔を導出し、品質不足判定と過剰品質判定の閾値を決定する。そしてそれぞれの閾値を超えるときは、Ｔａｒｇｅｔ  ＳＩＲ補正処理での補正値修正量を変化させる。これも、全て端末制御部３で行う。
これに対し、基地局２０は対応する無線チャネルの送信電力制御を行う。
これらの機能により、主として制御すべきＴｒＣＨの受信品質が優先して満たされることとなり、かつ、全ＴｒＣＨの通信品質も満足のいく品質を得られることとなる。
【００１４】
上記の各機能を持つ装置の全体システムの概念構成は図１のとおりで、動作概要は上記のとおりである。しかし具体的にはその通信制御部３は、図４と図５に示す動作を制御する機能を持つ。
まず、下り送信電力制御対象とするＴｒＣＨの優先順位（以下、ＴｒＣＨ優先順位）を決定するための機能を図３を用いて説明する。これはＴｒＣＨの構成が変更されたときに起動する。
Ｓ１１：下り送信電力制御に使用できないＴｒＣＨを制御対象から外す。該当するＴｒＣＨは次のとおり。
（ａ）起動されていない
（ｂ）目標受信品質指定が”Ｉｎｖａｌｉｄ”である
（ｃ）ＣＲＣ  ｂｉｔがない
Ｓ１２：Ｃｉｒｃｕｉｔ  Ｓｗｉｔｃｈ（以下、ＣＳと略す）のＴｒＣＨの有無を調べる。
Ｓ１３：ＣＳのＴｒＣＨがあれば、そのＴｒＣＨの中から要求される品質が高い順（目標ＢＬＥＲの値が小さい順）に優先順位をつける。
Ｓ１４：Ｐａｃｋｅｔ  ＳｗｉｔｃｈのＴｒＣＨの有無を調べる。
Ｓ１５：Ｐａｃｋｅｔ  ＳｗｉｔｃｈのＴｒＣＨがあれば、そのＴｒＣＨの中から要求される品質が高い順（目標ＢＬＥＲの値が小さい順）に続けて優先順位をつける。
Ｓ１６：残ったＤｅｄｉｃａｔｅｄ  Ｃｏｎｔｒｏｌ  Ｃｈａｎｎｅｌ（ＤＣＣＨ）に目標通信品質の高い順に優先順位をつける。
【００１５】
次に、ここで求められたＴｒＣＨ優先順位を用いて、Ｔａｒｇｅｔ  ＳＩＲを決定する機能をＴａｒｇｅｔ  ＳＩＲ更新処理フローとして図５に示し、これを用いて動作を説明する。これは最も優先順位の高いＴｒＣＨにおいてデータが受信できるときに、各フレーム毎に実行される。
Ｓ２１：  送信電力制御対象とするＴｒＣＨのうち、最も優先順位の高いＴｒＣＨのＴＴＩ毎にＴａｒｇｅｔ  ＳＩＲの制御をおこなう。このため受信ＴＢ数があるかどうかを調べる。
Ｓ２２：受信ＴＢがあった場合、送信電力制御対象となるＴｒＣＨの受信ＴＢにＣＲＣエラーがあるかどうかを調べる。
Ｓ２３：ＴＴＩにおいて、ＣＲＣエラーが発生した場合にはＴａｒｇｅｔＳＩＲにΔＳＩＲ＿ｕｐを加算する。
Ｓ２４：そうでなければΔＳＩＲ＿ｄｏｗｎだけ減算する。
また、受信データが無ければＴａｒｇｅｔＳＩＲの更新をおこなわない。
【００１６】
ここで、ΔＳＩＲ＿ｄｏｗｎは制御対象のＴｒＣＨの目標通信品質（ここではトランスポート・ブロック単位での受信エラー率であるＢｌｏｃｋ  ＥｒｒｏｒＲａｔｅ（ＢＬＥＲ）と想定する）を用いて以下（式１）のように与えられる。
ΔＳＩＲ＿ｄｏｗｎ  ＝  ΔＳＩＲ＿ｕｐ  ×  ＢＬＥＲ  ×  α  （式１）
α  ＝  （最も優先順位の高いＴｒＣＨの受信ＴＢ数）÷（最も優先順位の高いＴｒＣＨの最大受信ＴＢ数）
ΔＳＩＲ＿ｕｐは受信エラー発生時の受信電力増加指令値で、任意の値を取りうるが、例えば１ｄＢ程度にすることが多い。
Ｓ２５：送信電力増加／減少要求フラグをクリアする。
Ｓ２７：受信ＴＢの中で、エラーが発生したものについて調査する。各ＴｒＣＨのＣＲＣエラー発生間隔を品質指標に用いるためである。
Ｓ２８：以前のＣＲＣエラーからの発生間隔から品質を推定し、閾値を超えなかった場合にはＳ２９の処理に分岐し、そうでなければＳ３０の処理に分岐する。
Ｓ２９：該当ＴｒＣＨの品質不足とみなし、送信電力増加要求フラグをセットする。
Ｓ３０：以前のＣＲＣエラーからの発生間隔から品質を推定し、閾値を超えた場合はＳ３１の処理へ分岐し、そうでなければＳ３２の処理へ分岐する。
Ｓ３１：該当ＴｒＣＨの品質過剰とみなし、送信電力減少要求フラグをセットする。
Ｓ３２：送信電力増加か否か判定し、減少であればＳ３５の処理へ分岐し、そうでなければＴａｒｇｅｔ  ＳＩＲ更新処理終了へ分岐する。
Ｓ３３：補正用のオフセット値を増加させる。ただし、上限値を超えることはしない。
Ｓ３４：送信電力増加か否か判定し、減少であればＳ３５の処理へ分岐し、そうでなければＴａｒｇｅｔ  ＳＩＲ更新処理終了へ分岐する。
Ｓ３５：補正用のオフセット値を減少させる。ただし、下限値を超えることはしない。
【００１７】
ここで、Ｓ３３および３５のＴａｒｇｅｔ  ＳＩＲの値に補正を加える方法として、次の二つのいずれか又は双方を適用することができる。
１）制御対象となるＴｒＣＨのうち、通信品質が過剰と判断されたＴｒＣＨの目標通信品質を指示値よりも１ステップ下げ、また、通信品質が大きく不足していると判断されたＴｒＣＨの目標通信品質を指示値よりも１ステップ上げる。
フレーム周期に対し比較的長周期に本処理を適用し、指示値を上下させる範囲を制限する。また、ここで述べているステップとは、ネットワーク側から通知される目標通信品質の最小分解能、例えば０．１ｄＢ等とする。
２）送信電力制御機能により得られたＴａｒｇｅｔ  ＳＩＲの値に、通信品質の誤差の量に応じた一定のオフセット値を加える。
なお、複数ＴｒＣＨ間における通信品質のバランスについて説明しておく。下り電力制御によって制御対象のチャネルのどれかに通信品質の劣化が生じる場合には、この通信品質の向上維持を優先し、そのため他のどれかのＴｒＣＨが過剰品質になったとしても、その値を採用する。
上記１）、２）の方法では、ＴｒＣＨ優先順位の決定方法として、常にデータの流れているＣＳを優先に、ついでＰＳ、いずれも無ければＤＣＣＨによる送信電力制御をおこなうように選定する。これは、移動体端末装置の受信環境が時々刻々と変化をすることから、Ｔａｒｇｅｔ  ＳＩＲの更新速度が比較的速くなるようなＴｒＣＨを選択した結果である。
このように、複数ＴｒＣＨの目標通信品質を、それぞれのチャネルに大きな通信品質誤差が生じないように電力制御をおこなう事ができる。
【００１８】
上記説明では、通信制御部３が行うＴａｒｇｅｔ  ＳＩＲ更新処理方法として、図５の機能を持つとして説明した。この方法によれば、最も優先順位の高いＴｒＣＨがデータを受信しないときには、Ｔａｒｇｅｔ  ＳＩＲの更新がなされなかった。これに換えて、他の制御対象となるＴｒＣＨの受信データを用いて優先順位を制御することで、対象Ｔａｒｇｅｔ  ＳＩＲの更新頻度を向上できる。
下り送信電力制御対象とするＴｒＣＨ優先順位の決定方法は図４の方法で行う。Ｔａｒｇｅｔ  ＳＩＲを決定する機能を図６を用いて説明する。
【００１９】
Ｓ４０：送信電力制御対象とするＴｒＣＨのうち、最も優先順位の高いＴｒＣＨのＴＴＩ毎にＴａｒｇｅｔＳＩＲの制御をおこなう。
Ｓ４１：Ｓ４０で該当するＴＴＩにおいて、優先順位の高いＴｒＣＨから順番に受信データのあるＴｒＣＨを検索する。
Ｓ４２：受信データのあることが最初に検索されたＴｒＣＨにおいて、受信ＴＢにＣＲＣエラーを生じているかを調査する。
Ｓ４３：その結果、受信エラーが発生した場合にはＴａｒｇｅｔＳＩＲにΔＳＩＲ＿ｕｐを加算する。
Ｓ４４：そうでなければΔＳＩＲ＿ｄｏｗｎだけ減算する。ただし、ΔＳＩＲ＿ｄｏｗｎは当該ＴｒＣＨの目標通信品質を用いて先の式（１）で与えられる。
Ｓ４５：送信電力増加／減少要求フラグをクリア。
Ｓ４７ないしＳ５５は、図５のＳ２７ないしＳ３５と同様の処理を行う。
【００２０】
本来は複数のＴｒＣＨの品質を満たす電力制御で、１つのチャネルの品質を満たすと一様に他のチャネルでも品質が満たされるよう設計されているべきである。しかし現実にはそうなっておらず、通信品質が劣化したり、過剰品質になってチャネル数が減少する。従って本方法が有効となる。
【００２１】
【発明の効果】
以上のようにこの発明によれば、一つの通信チャネル中のトランスポート・チャネルを占有する通信に優先順位を設定して、所定の設定優先順位の通信に受信エラーがあるか、または目標通信品質との差異があるかに基づいて通信チャネルの電力制御を行なうので、複数のトランスポート・チャネルがＤＰＤＨにマッピングされ、各トランスポート・チャネルの品質目標値が異なっていても、木目細かく制御対象の通信の品質を保証できる効果がある。即ち収容チャネル数を多くしながら通信品質も保持できる効果がある。
【図面の簡単な説明】
【図１】この発明の実施の形態１におけるシステム構成と移動体端末装置の構成を示す図である。
【図２】実施の形態１における通信制御部の詳細構成を示す図である。
【図３】実施の形態１における移動体端末装置内の制御ループ動作を説明する図である。
【図４】移動体端末装置内の通信制御部が行なうトランスポート・チャネル通信の優先順位設定動作を示す動作フロー図である。
【図５】移動体端末装置内の通信制御部が行なう、制御対象の主となるトランスポート・チャネル通信の検出と基準値設定動作を示す動作フロー図である。
【図６】移動体端末装置内の通信制御部が行なう他のトランスポート・チャネル通信の検出と基準値設定動作を示す動作フロー図である。
【符号の説明】
３  通信制御部、４  ベースバンド部、１０  移動体端末装置、２０  基地局、３０  基地局制御装置、４０  交換局、Ｓ１１  対象絞込みステップ、Ｓ１２ＣＳ内にトランスポート・チャネルの通信の有無を検出するステップ、Ｓ１３優先順位付与ステップ、Ｓ１４  ＰＳ内にトランスポート・チャネルの通信の有無を検出するステップ、Ｓ１５  優先順位付与ステップ、Ｓ２１  最上位通信を受信ＴＢ内に検出するステップ、Ｓ２２  ＣＲＣエラー検出ステップ、Ｓ２３所定値加算ステップ、Ｓ２４  所定値減算ステップ、Ｓ２５  エラー数積算ステップ、Ｓ２６  目標品質との差異検出ステップ、Ｓ２７  補正値付加ステップ、Ｓ３１  所定通信を受信ＴＢ内に検出するステップ、Ｓ３２  ＣＲＣエラー検出ステップ、Ｓ３３  所定値加算ステップ、Ｓ３４  所定値減算ステップ、Ｓ３５  エラー数積算ステップ、Ｓ３６  目標品質との差異検出ステップ、Ｓ３７  補正値付加ステップ。
【図１】
2005012605.tif 000003
【図２】
2005012605.tif 000004
【図３】
2005012605.tif 000005
【図４】
2005012605.tif 000006
【図５】
2005012605.tif 000007
【図６】
2005012605.tif 000008